(57)【要約】【課題】  ユーザによるコンテンツの複製を防止すること。【解決手段】  表示画面に表示されている文書が複写機で複写されたことが検出されると、非表示用ページデータオフセットに表示不可ページのページデータの格納領域を示す情報を格納するようにした（ステップＳ２０６及びＳ２０８）。そのため、表示画面に表示されている文書を複写すると、その文書を再度表示することができなくなる罰則を与えることができる。したがって、そのような罰則があることをユーザに知らせておくことで、例えば、文書の撮像になんら罰則を与えず、複写された文書の再度表示を許す方法に比べ、ユーザに文書の複写の代償が高くつくことを予見させ、文書の複写を思いとどまらせることができ、その結果、ユーザによる文書の複製を防止することがきる。【選択図】  図８
2007088854.tif 000002
【特許請求の範囲】
【請求項１】
複数のコンテンツを表示する表示装置であって、
表示画面に表示されている特定コンテンツが撮像されたことを検出する撮像検出手段と、前記特定コンテンツの撮像が検出されると、前記特定コンテンツを再び表示させることができないようにする表示禁止手段と、を備えたことを特徴とする表示装置。
【請求項２】
前記特定コンテンツが撮像されようとしていることを検出する撮像予見手段と、前記特定コンテンツが撮影されようとしていることが検出されると、前記特定コンテンツの表示を、前記特定コンテンツにウォーターマークを重ねてなる表示に書き換える表示書換手段と、を備えたことを特徴とする請求項１に記載の表示装置。
【請求項３】
前記特定コンテンツが撮像されようとしていることを検出する撮像予見手段と、前記特定コンテンツが撮影されようとしていることが検出されると、前記特定コンテンツの表示を、前記特定コンテンツに地紋を重ねてなる表示に書き換える表示書換手段と、を備えたことを特徴とする請求項１に記載の表示装置。
【請求項４】
複数のコンテンツを表示する表示装置であって、
前記複数のコンテンツのデータを格納するデータ格納手段と、前記格納されている特定コンテンツのデータがコピーされたことを検出するコピー検出手段と、前記特定コンテンツがコピーされたことが検出されると、前記特定コンテンツの表示を禁止する表示禁止手段と、を備えたことを特徴とする表示装置。
【請求項５】
前記特定コンテンツのデータがコピーされようとしていることを検出するコピー予見手段と、前記特定コンテンツがコピーされようとしていることが検出されると、前記特定コンテンツのデータを、前記特定コンテンツにウォーターマークを重ねてなる表示を行うデータに書き換えるデータ書換手段と、を備えたことを特徴とする請求項４に記載の表示装置。
【請求項６】
前記特定コンテンツのデータがコピーされようとしていることを検出するコピー予見手段と、前記特定コンテンツがコピーされようとしていることが検出されると、前記特定コンテンツのデータに電子透かしを付加する電子透かし付加手段と、を備えたことを特徴とする請求項４に記載の表示装置。
【請求項７】
前記特定コンテンツの複製が許されているか否かを判定する判定手段を備え、
前記表示禁止手段は、前記複製が許されていない場合にのみ、前記特定コンテンツの表示を禁止することを特徴とする請求項１から６のいずれか１項に記載の表示装置。
【発明の詳細な説明】
【技術分野】
【０００１】
本発明は、複数のコンテンツを表示する表示装置に関する。
【背景技術】
【０００２】
従来、この種の表示装置としては、例えば、電子書籍のコンテンツをコレステリック液晶等の反射型表示体に表示して閲覧させるものがある（例えば、特許文献１参照）。
【特許文献１】特開平１１−２７１７９９号公報
【発明の開示】
【発明が解決しようとする課題】
【０００３】
しかしながら、上記従来の表示装置にあっては、コンテンツを反射型表示体に表示させるようになっているため、例えば、軽量化・薄型化が進むと、複写機のコンタクトガラスに載せて、表示画面に表示されているコンテンツを複写できるようになる恐れがある。
本発明は、上記従来の表示装置の未解決の問題を解決することを目的とするものであって、ユーザによるコンテンツの複製を防止可能な表示装置を提供することを課題とする。
【課題を解決するための手段】
【０００４】
上記課題を解決するため、第１の発明である表示装置は、複数のコンテンツを表示する表示装置であって、表示画面に表示されている特定コンテンツが撮像されたことを検出する撮像検出手段と、前記特定コンテンツの撮像が検出されると、前記特定コンテンツを再び表示させることができないようにする表示禁止手段と、を備えたことを特徴とする。
このような構成によれば、表示画面に表示されているコンテンツを撮像すると、そのコンテンツを再度表示することができなくなる罰則を与えることができる。そのため、そのような罰則があることをユーザに知らせておくことで、例えば、コンテンツの撮像になんら罰則を与えず、撮像されたコンテンツの再度表示を許す方法に比べ、ユーザにコンテンツの撮影の代償が高くつくことを予見させ、コンテンツの撮影を思いとどまらせることができ、その結果、ユーザによるコンテンツの複製を防止することがきる。
【０００５】
また、前記特定コンテンツが撮像されようとしていることを検出する撮像予見手段と、前記特定コンテンツが撮影されようとしていることが検出されると、前記特定コンテンツの表示を、前記特定コンテンツにウォーターマーク（テキストのイメージ）を重ねてなる表示に書き換える表示書換手段と、を備えるようにしてもよい。
さらに、前記特定コンテンツが撮像されようとしていることを検出する撮像予見手段と、前記特定コンテンツが撮影されようとしていることが検出されると、前記特定コンテンツの表示を、前記特定コンテンツに地紋（地模様のイメージ）を重ねてなる表示に書き換える表示書換手段と、を備えるようにしてもよい
このような構成によれば、表示画面に表示されているコンテンツが撮影されるときに、そのコンテンツにウォーターマークや地紋を重ねて表示させることができる。そのため、例えば、常にコンテンツにウォーターマークや地紋を重ねて表示する方法に比べ、表示階調が乏しくても、コンテンツの視認性が低下することを防止することができる。
【０００６】
一方、本発明の表示装置にあっては、複数のコンテンツを表示する表示装置であって、前記複数のコンテンツのデータを格納するデータ格納手段と、前記格納されている特定コンテンツのデータがコピーされたことを検出するコピー検出手段と、前記特定コンテンツがコピーされたことが検出されると、前記特定コンテンツの表示を禁止する表示禁止手段と、を備えたことを特徴とする。
【０００７】
また、前記特定コンテンツのデータがコピーされようとしていることを検出するコピー予見手段と、前記特定コンテンツがコピーされようとしていることが検出されると、前記特定コンテンツのデータを、前記特定コンテンツにウォーターマークを重ねてなる表示を行うデータに書き換えるデータ書換手段と、を備えるようにしてもよい。
さらに、前記特定コンテンツのデータがコピーされようとしていることを検出するコピー予見手段と、前記特定コンテンツがコピーされようとしていることが検出されると、前記特定コンテンツのデータに電子透かしを付加する電子透かし付加手段と、を備えるようにしてもよい。
【０００８】
また、前記特定コンテンツの複製が許されているか否かを判定する判定手段を備え、前記表示禁止手段は、前記複製が許されていない場合にのみ、前記特定コンテンツの表示を禁止するようにしてもよい。
このような構成によれば、データ格納手段に格納されているコンテンツのデータをコピーすると、そのコンテンツを表示することができなくなる罰則を与えることができる。そのため、そのような罰則があることをユーザに知らせておくことで、例えば、データのコピーになんら罰則を与えず、コピーされたコンテンツの表示を許す方法に比べ、ユーザにデータのコピーの代償が高くつくことを予見させ、データのコピーを思いとどまらせることができ、その結果、ユーザによるコンテンツの複製を防止することがきる。
【発明を実施するための最良の形態】
【０００９】
以下、本発明に係る表示装置として、所定のページに区切られた電子ブックの文書を表示して閲覧させる電子ブックリーダの実施形態を図面に基づいて説明する。
即ち、この電子ブックリーダは、ページ送りの操作がされると、表示装置に表示されている文書（ページ）の次ページを切り替え表示するようになっている。また、表示画面に表示されている文書が複写機で複写されたことが検出されると、その文書が複写されたこと示す情報を付加することで、再度の表示を禁止するようになっている。
【００１０】
＜第１実施形態＞
＜電子ブックリーダの構成＞
図１は、本実施形態の電子ブックリーダの外形を示す概略構成図であり、図２は、本実施形態の電子ブックリーダの内部構成を示すブロック図である。この図２に示すように、電子ブックリーダ１は、ページ送りボタン２、受光センサ３1、３2、入出力装置（Ｉ／Ｏ）４、リードオンリーメモリ（ＲＯＭ）５、ランダムアクセスメモリ（ＲＡＭ）６、中央処理装置（ＣＰＵ）７、ビデオラム（ＶＲＡＭ）８、ディスプレイコントローラ９及び表示装置１０を含んで構成され、ページ送りボタン２、受光センサ３1、３2、ページ戻しボタン２及び表示装置１０を除く各部はバス１１で互いに接続されている。
【００１１】
ページ送りボタン２は、表示装置１０に表示されている文書のページを次ページに切換表示するときに操作させる押下ボタンであり、押下操作されると、ページ送りボタン２が押し下げ操作されたことを示す押下信号を入出力装置４に出力する。
受光センサ３1、３2は、表示装置１０の表示画面の平面視右上側と左下側とに配され、表示装置１０の表示画面への入射光量を検出して入出力装置４に出力する。
【００１２】
入出力装置４は、ページ送りボタン２から出力される押下信号と受光センサ３1、３2から出力される入射光量の検出結果とをＣＰＵ７に出力する。
ＲＯＭ５は、ＣＰＵ７により実行される基本制御プログラムやアプリケーションプログラム等の各種プログラム及びこれら各種プログラムに係るデータを格納する。
ＲＡＭ６は、ＣＰＵ７がプログラムを実行するときに各種プログラムを展開するワークエリアを形成するとともに、ＣＰＵ７により実行される各種プログラムに係るデータや、表示対象である複数の文書のデータを記憶するメモリ領域を形成する。
【００１３】
ここで、各文書のデータは、図３に示すように、対応文書（文書）の文書ヘッダ、複数のページヘッダ、及び複数のページデータを含んで構成される。
文書ヘッダは、図４に示すように、文書タイトル、ページ数、コピーコントロール情報、コピー制限回数、コピー済みフラグ、関連文書数量、及び関連文書リンクを含んで構成される。
【００１４】
コピー制限回数は、対応文書の複写許可枚数であり、文書作成者によって予め設定されている。
コピー済みフラグは、対応文書が複写された回数を示すフラグであり、１回も複写されていない状態では０をとり、複写されるたびにフラグ値に１が加算される。
関連文書リンクは、対応文書に関連する文書（例えば、対応文書の閲覧時に参照する文書）のデータの格納場所を示す情報である。
【００１５】
ページヘッダは、対応文書に含まれる各ページそれぞれに対応して設けられ、図５に示すように、ページ番号、コピーコントロール情報、コピー制限回数、コピー済みフラグ、関連ページ数量、関連ページ番号、及び非表示用ページデータオフセットを含んで構成される。
コピーコントロール情報は、対応ページの複写が許されているか否かを０〜３の値で示す情報であり、０は対応ページの複写が無制限に許されていることを示し、１は対応ページの複写時にウォーターマークを付加することを条件として、複写が許されていることを示し、２は対応ページの複写が許されておらず、図６に示すように、複写された場合には表示装置１０に表示されている文書（ページ）に「このページは、コピーされたため削除されました。」というメッセージのみを表示する表示不可ページのページデータに関連づけるとともに、そのデータに基づいて表示装置１０の表示を書き換える罰則を与えることを示し、３は対応ページの複写が許されておらず、複写時にウォーターマークを付加するとともに、複写された場合には表示装置１０に表示されている文書（ページ）に表示不可ページのページデータに関連づける罰則を与えることを示している。なお、コピーコントロール情報は、文書のデータの作成時に作者によって付加されるようになっており、例えば、ユーザが後から書き換えてしまうことができないようになっている。
【００１６】
コピー制限回数は、対応ページの複写許可枚数であり、文書作成者によって予め設定されている。
コピー済みフラグは、対応ページが複写された回数を示すフラグであり、１回も複写されていない状態では０となり、複写されるたびにフラグ値に１が加算される。
非表示用ページデータオフセットは、対応ページと置き換えるページのページデータの格納領域のアドレスを示す情報であり、置き換えるページがない状態では０をとる。
【００１７】
関連ページ番号は、対応ページに関連するページのページ番号である。
一方、ページデータは、対応文書に含まれる各ページのラスタデータである。
ＣＰＵ７は、ＲＯＭ５に格納されている各種プログラムを読み込み、それらをＲＡＭ６内に形成されるワークエリアに展開して各部２〜１０を制御する。
また、ＣＰＵ７は、入出力装置４から押下信号が出力されると、表示ページ切換処理（後述）を実行し、表示装置１０に表示されている文書（ページ）の次ページの文書ヘッダ及びページヘッダのコピー済みフラグがコピー制限回数より小さいか否かを判定し、コピー制限回数より小さい場合には前記次ページのページデータをＲＡＭ６から読み出してＶＲＡＭ８に格納し、コピー制限回数以上である場合には前記ページデータオフセットの値が示す領域に格納されている表示不可ページのページデータ（ラスタデータ）をＲＡＭ６から読み出してＶＲＡＭ８に格納する。
【００１８】
さらに、ＣＰＵ７は、所定時間（例えば、１０msec.）が経過するたびに、ページ複写対応処理（後述）を実行し、受光センサ３1、３2が複写機のスキャン光を検出すると、表示装置１０に表示されている文書（ページ）のページコピーコントロール情報に基づいて前記ページの非表示用ページデータオフセットやコピー済みフラグを設定する。
ＶＲＡＭ８は、ＣＰＵ７からの格納要求に従ってラスタデータを格納する。
【００１９】
ディスプレイコントローラ９は、ＶＲＡＭ８に格納されているラスタデータを読み込み、そのラスタデータが示すページが表示されるように表示装置１０を駆動する。
表示装置１０は、ディスプレイコントローラ９により駆動され、文書の任意ページを表示画面に表示する。表示画面は、複数の画素がアレイ状に形成された電気泳動表示体、つまり、表示画面に入射する外光を反射させることで表示を行い、且つ、電力の供給がなくなってもそれまでの表示内容をそのまま表示し続ける表示体で形成される。
【００２０】
＜ＣＰＵの動作＞
次に、ＣＰＵ７で実行される表示ページ切換処理を、図７のフローチャートに従って説明する。この表示ページ切換処理は、入出力装置４から押下信号が出力されると実行される処理であって、まずそのステップＳ１０１では、表示装置１０に表示されている文書の文書ヘッダのコピー済みフラグを読み出し、そのコピー済みフラグのフラグ値が１以上であるか否かを判定する。１以上である場合には（Ｙｅｓ）ステップＳ１０２に移行し、１より小さい場合には（Ｎｏ）ステップＳ１０５に移行する。
【００２１】
前記ステップＳ１０２では、前記ステップＳ１０１で読み出されたコピー済みフラグのフラグ値が表示装置１０に表示されている文書の文書ヘッダのコピー制限回数より小さいか否かを判定する。コピー制限回数より小さい場合には（Ｙｅｓ）ステップＳ１０３に移行し、コピー制限回数以上である場合には（Ｎｏ）ステップＳ１０６に移行する。
前記ステップＳ１０３では、表示装置１０に表示されている文書（ページ）のページヘッダのコピー済みフラグを読み出し、そのコピー済みフラグのフラグ値が１以上であるか否かを判定する。１以上である場合には（Ｙｅｓ）ステップＳ１０２に移行し、１より小さい場合には（Ｎｏ）前記ステップＳ１０５に移行する。
【００２２】
前記ステップＳ１０４では、前記ステップＳ１０３で読み出されたコピー済みフラグのフラグ値が表示装置１０に表示されている文書（ページ）のページヘッダのコピー制限回数より小さいか否かを判定する。コピー制限回数より小さい場合には（Ｙｅｓ）ステップＳ１０５に移行し、コピー制限回数以上である場合には（Ｎｏ）前記ステップＳ１０６に移行する。
【００２３】
前記ステップＳ１０５では、表示装置１０に表示されている文書（ページ）の次ページのページデータを読み出し、そのページデータに基づいてディスプレイコントローラ９に表示装置１０を駆動させてから、この演算処理を終了する。
前記ステップＳ１０６では、表示装置１０に表示されている文書（ページ）の次ページのページデータオフセットの値が示す領域に格納されている表示不可ページのページデータをＲＡＭ６から読み出してＶＲＡＭ８に格納してから、この演算処理を終了する。
【００２４】
次に、ＣＰＵ７で実行されるページ複写対応処理を、図８のフローチャートに従って説明する。このページ複写対応処理は、所定時間毎に実行される処理であって、まずそのステップＳ２０１では、受光センサ３1、３2から入射光量の検出結果を読み込む。
次にステップＳ２０２に移行して、前記ステップＳ２０１で読み込まれた入射光量のいずれかが閾値（複写動作の実行時に複写機から発せられるスキャン光の光量）より大きいか否かを判定する。閾値より大きい場合には（Ｙｅｓ）ステップＳ２０３に移行し、閾値以下である場合には（Ｎｏ）ステップＳ２０４に移行する。
【００２５】
前記ステップＳ２０３では、表示装置１０に表示されている文書（ページ）のページヘッダのページコピーコントロール情報をＲＡＭ６から読み込む。
次にステップＳ２０４に移行して、前記ステップＳ２０３で読み込まれたページコピーコントロール情報の値が０、１、２、３のいずれであるかを判定する。０である場合には（０（コピー可））ステップＳ２０９に移行し、１である場合には（１（コピー可））ステップＳ２０５に移行し、２である場合には（２（コピー不可））ステップＳ２０６に移行し、３である場合には（３（コピー不可））ステップＳ２０７に移行する。
【００２６】
前記ステップＳ２０５では、ＲＡＭ６に格納されている文書のデータに基づいて、表示装置１０に表示されている文書にウォーターマークを重ねて表示するラスタデータを生成した後、そのラスタデータに基づいてディスプレイコントローラ９に表示装置１０をすぐに駆動させてから（複写機から発せられるスキャン光が表示装置１０の表示画面に入射する前に表示を切り換えてから）、前記ステップＳ２０９に移行する。
【００２７】
前記ステップＳ２０６では、図９に示すように、表示装置１０に表示されている文書のデータに表示不可ページのページデータを付加し、その表示不可ページのページデータの格納領域のアドレスを前記ページのページヘッダの非表示用ページデータオフセットに格納する。そして、表示不可ページのページデータに基づいてディスプレイコントローラ９に表示装置１０を数秒後に駆動させてから（複写機によるスキャンの終了後に表示装置１０の表示を切り換えてから）、前記ステップＳ２０９に移行する。
【００２８】
前記ステップＳ２０７では、ＲＡＭ６に格納されている文書のデータに基づいて、表示装置１０に表示されている文書にウォーターマークを重ねて表示するラスタデータを生成した後、そのラスタデータに基づいてディスプレイコントローラ９に表示装置１０をすぐに駆動させる（スキャン光が表示画面に入射する前に表示を切り換える）。
次にステップＳ２０８に移行して、図９に示すように、表示装置１０に表示されている文書のデータに表示不可ページのページデータを付加し、その表示不可ページのページデータの格納領域のアドレスを前記ページのページヘッダの非表示用ページデータオフセットに格納してから、前記ステップＳ２０９に移行する。
【００２９】
なお、本実施形態のステップＳ２０６及びＳ２０８では、表示不可ページのページデータを付加し、非表示用ページデータオフセットをセットすることで、表示装置１０に表示されている文書（ページ）を再表示できないようにする例を示したが、これに限られるものではない。例えば、表示不可ページのページデータを付加する際に、表示装置１０に表示されている文書（ページ）のデータを消去するようにしてもよい。
【００３０】
前記ステップＳ２０９では、表示装置１０に表示されている文書（ページ）のページヘッダのコピー済みフラグのフラグ値に１を加算する。
次にステップＳ２１０に移行して、前記ステップＳ２０９で得られたフラグ値が表示装置１０に表示されている文書（ページ）のページヘッダのコピー制限回数より小さいか否かを判定する。コピー制限回数より小さい場合には（Ｙｅｓ）この演算処理を終了し、コピー制限回数以上である場合には（Ｎｏ）ステップＳ２１１に移行する。
【００３１】
前記ステップＳ２１１では、表示装置１０に表示されている文書（ページ）の関連ページ番号が示すページのコピー済みフラグをコピー制限回数とする。
次にステップＳ２１２に移行して、表示装置１０に表示されている文書の関連文書リンクが示す文書の文書ヘッダのコピー済みフラグをコピー制限回数としてから、この演算処理を終了する。
【００３２】
＜電子ブックリーダの具体的動作＞
次に、本実施形態の電子ブックリーダ１の動作を具体的状況に基づいて説明する。
まず、表示装置１０に表示されている特定文書を複写するために、ユーザが複写機のコンタクトガラスに表示装置１０の表示画面を伏せて載置し、複写を開始するための操作をしたとする。すると、複写機からスキャン光が発せられ、そのスキャン光が受光センサ３1、３2のいずれかに入射し、ＣＰＵ７でページ複写対応処理が実行されると、図７に示すように、ステップＳ２０１で、受光センサ３1、３2から入射光量の検出結果が読み込まれ、ステップＳ２０２の判定が「Ｙｅｓ」となり、ステップＳ２０３で、特定文書（特定ページ）のページヘッダのページコピーコントロール情報がＲＡＭ６から読み込まれる。
【００３３】
ここで、読み込まれたページコピーコントロール情報の値が３であったとする。すると、ステップＳ２０４の判定が「２（コピー不可）」となり、ステップＳ２０６で、特定文書のデータに表示不可ページのページデータが付加され、その表示不可ページのページデータの格納領域のアドレスが特定ページのページヘッダの非表示用ページデータオフセットに格納された後、複写機によるスキャンが終了するまでの間、待機状態となる。
【００３４】
また、ページ複写対応処理が待機状態となっている間に、複写機によるスキャンが終了したとする。すると、ページ複写対応処理のステップＳ２０６で、表示不可ページのページデータに基づいてディスプレイコントローラ９に表示装置１０が駆動される。
そして、ディスプレイコントローラ９の駆動により、図６に示すように、それまで表示されていた文書（ページ）に代えて、表示不可ページが表示装置１０に表示される。
【００３５】
また、ステップＳ２０９で、特定ページのページヘッダのコピー済みフラグのフラグ値に１が加算され、また、特定ページの文書ヘッダ及びページヘッダのコピー制限回数が１回であるとすると、ステップＳ２１０の判定が「Ｎｏ」となり、ステップＳ２１１で、特定ページの関連ページ番号が示すページのコピー済みフラグが前記ページヘッダのコピー制限回数とされ、ステップＳ２１２で、特定文書の関連文書リンクが示す文書のコピー済みフラグが前記文書ヘッダのコピー制限回数とされてから、この演算処理を終了する。
【００３６】
その後、コピー済みフラグがコピー制限となっている前記特定ページの前ページが表示装置１０に表示されている状態で、特定ページを再度表示するために、ユーザがページ送りボタン２を押下操作したとする。すると、ページ送りボタン２から入出力装置４を介してＣＰＵ７に押下信号が出力され、ＣＰＵ７で表示ページ切換処理が実行され、図７に示すように、ステップＳ１０１の判定が「Ｙｅｓ」となり、ステップＳ１０２の判定が「Ｙｅｓ」となり、ステップＳ１０３の判定が「Ｙｅｓ」となり、ステップＳ１０４の判定が「Ｎｏ」となり、ステップＳ１０６で、特定ページの次ページのページデータオフセットの値が示す領域に格納されている表示不可ページのページデータに基づいて、ディスプレイコントローラ９に表示装置１０が駆動される。そして、ディスプレイコントローラ９の駆動により、図６に示すように、表示不可ページが表示装置１０に表示される。
【００３７】
このように、本実施形態の電子ブックリーダ１にあっては、表示画面に表示されている文書が複写機で複写されたことが検出されると、非表示用ページデータオフセットに表示不可ページのページデータの格納領域を示す情報を格納するようにした。そのため、表示画面に表示されている文書を複写すると、その文書を再度表示することができなくなる罰則を与えることができる。したがって、そのような罰則があることをユーザに知らせておくことで、例えば、文書の撮像になんら罰則を与えず、複写された文書の再度表示を許す方法に比べ、ユーザに文書の複写の代償が高くつくことを予見させ、文書の複写を思いとどまらせることができ、その結果、ユーザによる文書の複製を防止することがきる。
【００３８】
一方、読み込まれたページコピーコントロール情報の値が３であったとする。すると、前記ステップＳ２０４の判定が「３（コピー不可）」となり、ステップＳ２０７で、特定文書のデータに基づいて特定文書にウォーターマークを重ねて表示するラスタデータが生成された後、そのラスタデータに基づいてディスプレイコントローラ９に表示装置１０がすぐに駆動される。そして、ディスプレイコントローラ９の駆動により、スキャン光が表示画面に入射する前に、前記ラスタデータによる画像が表示装置１０に表示される。
【００３９】
また、ステップＳ２０８で、特定文書のデータに表示不可ページのページデータが付加され、その表示不可ページのページデータの格納領域のアドレスが特定ページの非表示用ページデータオフセットに格納された後、前記ステップＳ２０９のフローを実行する。
また一方、読み込まれたページコピーコントロール情報の値が１であったとする。すると、前記ステップＳ２０４の判定が「１（コピー可）」となり、ステップＳ２０５で、特定文書のデータに基づいて特定文書にウォーターマークを重ねて表示するラスタデータが生成された後、そのラスタデータに基づいてディスプレイコントローラ９に表示装置１０がすぐに駆動される。そして、ディスプレイコントローラ９の駆動により、スキャン光が表示画面に入射する前に、前記ラスタデータによる画像が表示装置１０に表示される。
【００４０】
このように、本実施形態の電子ブックリーダ１にあっては、表示画面に表示されている文書が撮影されるときに、前記文書にウォーターマークを重ねて表示するようにした。そのため、複写結果にウォーターマークを表示させることができ、ウォーターマークの表示に基づいて文書の著作権を主張することや情報漏洩時の追跡性の向上することができ、また、例えば、常に文書にウォーターマークを重ねて表示する方法に比べ、表示装置１０の表示階調が乏しいときでも、文書の視認性が低下することを防止することができる。
【００４１】
ちなみに、常に文書にウォーターマークを重ねて表示する方法にあっては、表示装置１０の表示階調が乏しいと、文書を構成する画素とウォーターマークを構成する画素とを判別しづらくなってしまい、その結果、文書の視認性が低下してしまうことになる。
なお、本実施形態では、表示装置１０の平面視右上側と左下側とに受光センサ３1、３2を配する例を示したが、これに限られるものではない。例えば、表示装置１０の駆動方式がアクティブマトリックス駆動方式である場合には、表示装置１０の各画素に対応するアクティブ素子に受光センサを設けるようにしてもよい。そのようにすれば、表示装置１０に表示されている文書の特定範囲のみが複写された場合に、その特定範囲を検出することができ、複写された文書の当該特定領域のみを再度表示できなくすることができる。
【００４２】
また、複写された文書（ページ）を再度表示させる操作がされた場合に、表示不可ページを表示する例を示したが、これに限られるものではない。例えば、複写されたページの解像度を粗くして、内容の詳細を不明としたページを表示するようにしてもよい。
さらに、文書が撮影されるときに、ウォーターマークを重ねて表示する例を示したが、これに限られるものではない。例えば、地紋を重ねて表示するようにしてもよい。
【００４３】
次に、本発明に係る表示装置の第２実施形態を画像に基づいて説明する。
この第２実施形態は、電子ブックリーダ１は、ＵＳＢ接続により、パーソナルコンピュータを介して電子ブックリーダ１間で文書のデータをコピー可能に構成されている。また、電子ブックリーダ１（ＣＰＵ７）は、文書のデータのコピーの実行前に、ページコピー対応処理を実行し、前記文書のページデータの書き換えや前記文書の非表示用ページデータオフセットの設定を行うようになっている。
【００４４】
具体的には、ページコピー対応処理は、ＵＳＢの通信プロトコルが文書のデータのコピー指示を検出すると実行され、図１０に示すように、まずそのステップＳ３０１では、コピー対象である文書の文書ヘッダのコピー済みフラグを読み出し、そのコピー済みフラグのフラグ値が１以上であるか否かを判定する。１以上である場合には（Ｙｅｓ）ステップＳ３０２に移行し、１より小さい場合には（Ｎｏ）この演算処理を終了する。
【００４５】
前記ステップＳ３０２では、コピー対象である文書の文書ヘッダのコピーコントロール情報をＲＡＭ６から読み込む。
次にステップＳ３０３に移行して、前記ステップＳ３０２で読み込まれた文書コピーコントロール情報の値が０、１、２、３のいずれであるかを判定する。０である場合には（０（コピー可））ステップＳ３０８に移行し、１である場合には（１（コピー可））ステップＳ３０４に移行し、２である場合には（２（コピー不可））ステップＳ３０５に移行し、３である場合には（３（コピー不可））ステップＳ３０７に移行する。
【００４６】
前記ステップＳ３０４では、コピー対象である文書の各ページにウォーターマークを重ねて表示するラスタデータを生成し、そのラスタデータをそれまでのページデータに代えてＲＡＭ６に格納してから、前記ステップＳ３０８に移行する。
前記ステップＳ３０５では、まず、コピー元とコピー先との両方にページデータが存在することで著作権法上の問題が生じないように、コピー対象である文書の各ページのページデータに代えて予め定められたページデータ（例えば、全面を白紙状態とするページデータ）をＲＡＭ６に格納する。
【００４７】
なお、本実施形態では、著作権法上の問題が生じないように、各ページのページデータに代えて予め定められたページデータを格納する例を示したが、これに限られるものではない。例えば、各ページのページデータを削除するようにしてもよい。ただし、予め定められたページデータを格納する方法によれば、コピー元に文書が存在した形跡が残るため、コピーされた文書の行方をあとあから追跡する場合に好適である。
【００４８】
次にステップＳ３０６に移行して、前記文書のデータに表示不可ページのページデータを付加し、その表示不可ページのページデータの格納領域のアドレスを各ページのページヘッダの非表示用ページデータオフセットに格納してから、前記ステップＳ３０８に移行する。
前記ステップＳ３０７では、コピー対象である文書の各ページにウォーターマークを重ねて表示するラスタデータを生成し、そのラスタデータをそれまでのページデータに代えてＲＡＭ６に格納してから、前記ステップＳ３０５に移行する。
【００４９】
前記ステップＳ３０８では、コピー対象である文書の文書ヘッダのコピー済みフラグのフラグ値に１を加算する。
前記ステップＳ３０９では、前記ステップＳ３０８で得られたフラグ値がコピー対象である文書の文書ヘッダのコピー制限回数より小さいか否かを判定する。コピー制限回数より小さい場合には（Ｙｅｓ）この演算処理を終了し、コピー制限回数以上である場合には（Ｎｏ）ステップＳ３１０に移行する。
【００５０】
前記ステップＳ３１０では、コピー対象である文書の関連文書リンクが示す文書の文書ヘッダのコピー済みフラグをコピー制限回数としてから、この演算処理を終了する。
このように、本実施形態の電子ブックリーダ１にあっては、ＲＡＭ６に格納されている文書のデータがコピーされたことが検出されると、非表示用ページデータオフセットに表示不可ページのページデータの格納領域を示す情報を格納するようにした。そのため、文書のデータをコピーすると、その文書を表示することができなくなる罰則を与えることができる。したがって、そのような罰則があることをユーザに予め知らせておくことで、例えば、データのコピーになんら罰則を与えず、コピーされた文書の表示を許す方法に比べ、ユーザにデータのコピーの代償が高くつくことを予見させ、データのコピーを思いとどまらせることができ、その結果、ユーザによる文書の複製を防止することがきる。
【００５１】
なお、上記実施形態では、文書のデータがコピーされるときに、ウォーターマークを重ねて表示するラスタデータをそれまでのページデータに代えて格納して、そのラスタデータがコピーされるようにする例を示したが、これに限られるものではない。例えば、それまでのページデータに電子透かしを付加したものを格納するようにしてもよい。
【００５２】
以上、上記実施形態あっては、図１、図２の受光センサ３1、３2、図３のステップＳ２０１が特許請求の範囲に記載の撮像検出手段及び撮像予見手段を構成し、以下同様に、図２のＣＰＵ７、図７のステップＳ１０２、図８のステップＳ２０９、図１０のステップＳ３０８が表示禁止手段を構成し、図２のＣＰＵ７、図８のステップＳ２０５、Ｓ２０７が表示書換手段を構成し、図２のＲＡＭ６がデータ格納手段を構成し、図２のＣＰＵ７（ＵＳＢの通信プロトコル）がコピー検出手段及びコピー予見手段を構成し、図２のＣＰＵ７、図１０のステップＳ３０４、Ｓ３０５、Ｓ３０７がデータ書換手段を構成し、図２のＣＰＵ７、図８のステップＳ２０４、図１０のステップＳ３０３が判定手段を構成する。
【００５３】
なお、本発明の表示装置は、上記実施の形態の内容に限定されるものではなく、本発明の趣旨を逸脱しない範囲で適宜変更可能である。
例えば、受光センサ３1、３2への入射光量が閾値より大きいか否かを判定した後に、ページコピーコントロール情報を読み出し、ウォーターマークや表示不可ページを重ねて表示するラスタデータを作成して表示する例を示したが、これに限られるものではない。例えば、予めページコピーコントロール情報を読み出し、ウォーターマークや表示不可ページを重ねて表示するラスタデータを作成しておき、受光センサ３1、３2への入射光量が閾値より大きいか否かを判定したときに、前記ラスタデータを表示するようにしてもよい。そのようにすれば、例えば、入射光量の判定の後にラスタデータの作成を開始する方法に比べ、ウォーターマークや表示不可ページを重ねて表示するラスタデータを早いタイミングで表示することができ、複写機によって複写されるときに、スキャン光が表示画面に入射する前に、前記ラスタデータによる画像を確実に表示させることができる。
【００５４】
また、ウォーターマークや表示不可ページを表示する方法として、ウォーターマークや表示不可ページを重ねて表示するラスタデータを作成して電気泳動表示体を書き換える例を示したが、これに限られるものではない。例えば、電気泳動表示体の前面側に通常時は透明であり、電圧印加を行うと中央部にウォーターマークを表示する表示速度の速い第２の表示体を設けておき、電気泳動表示体の書き換えを行わず、前記第２の表示体に電圧を印可することで、ウォーターマークや表示不可ページを表示するようにしてもよい。
【図面の簡単な説明】
【００５５】
【図１】第１実施形態の電子ブックリーダの外形を示す概略構成図である。
【図２】図１の電子ブックリーダの内部構成を示すブロック図である。
【図３】文書のデータの構成を説明するための説明図である。
【図４】文書ヘッダの構成を説明するための説明図である。
【図５】ページヘッダの構成を説明するための説明図である。
【図６】表示不可ページを説明するための説明図である。
【図７】表示ページ切換処理のフローを示すフローチャートである。
【図８】ページ複写対応処理のフローを示すフローチャートである。
【図９】文書ヘッダの構成を説明するための説明図である。
【図１０】ページコピー対応処理のフローを示すフローチャートである。
【符号の説明】
【００５６】
１は電子ブックリーダ、２はページ送りボタン、３1、３2は受光センサ、４はＩ／Ｏ、５はＲＯＭ、６はＲＡＭ、７はＣＰＵ、８はＶＲＡＭ、９はディスプレイコントローラ、１０は表示装置、１１はバス
【図１】
2007088854.tif 000003
【図２】
2007088854.tif 000004
【図３】
2007088854.tif 000005
【図４】
2007088854.tif 000006
【図５】
2007088854.tif 000007
【図６】
2007088854.tif 000008
【図７】
2007088854.tif 000009
【図８】
2007088854.tif 000010
【図９】
2007088854.tif 000011
【図１０】
2007088854.tif 000012